(57)【要約】      （修正有）【課題】係合効果がより安定し、ある程度の角度調整機能を有するロックアセンブリを提供する。【解決手段】ロックアセンブリは、第１部材１と、第２部材２とを備え、第１部材１と第２部材２との間には互いに係合するロック構造が設けられており、ロック構造は、第１部材１と、第２部材２とにそれぞれ設けられているロック台１０と、ロック溝とを備え、ロック溝にはロック台１０が進出するための開口が設けられており、ロック溝の開口には、ロック溝に位置するロック台１０を適宜制限するためのロック位置制限部材が設けられており、ロック台１０にはロック位置制限部材に対応するロック解除位置部が設けられており、ロック台１０がロック溝においてロック解除位置部とロック位置制限部材とが対応するまで相対的に移動すると、制限が解除される。【選択図】図１
0003224954.tif 000002
【実用新案登録請求の範囲】
【請求項１】
第１部材と、第２部材とを備え、前記第１部材と第２部材との間には互いに係合するロック構造が設けられているロックアセンブリであって、
前記ロック構造は、前記第１部材と、第２部材とにそれぞれ設けられているロック台と、ロック溝とを備え、前記ロック溝には前記ロック台が進出するための開口が設けられており、前記ロック溝の開口には、前記ロック溝に位置する前記ロック台を適宜制限するためのロック位置制限部材が設けられており、前記ロック台には前記ロック位置制限部材に対応するロック解除位置部が設けられており、前記ロック台が前記ロック溝において前記ロック解除位置部と前記ロック位置制限部材とが対応するまで相対的に移動すると、制限が解除されることを特徴とするロックアセンブリ。
【請求項２】
前記ロック溝はＵ字状となっており、前記ロック台が前記ロック溝に対して回転することで、前記ロック位置制限部材とロック解除位置部との係合が制御されることを特徴とする請求項１に記載のロックアセンブリ。
【請求項３】
前記ロック溝は、前記第２部材の上面に突設されて、前記ロック溝の上面に沿ってＵ字状となっている側壁を備え、内方に延出するフランジが前記側壁の頂縁に沿って設けられ、前記ロック台は、径方向寸法の大きな円台部が先端に設けられる連結柱を備え、前記円台部が前記フランジ、側壁及び第２部材の上面の間の溝に嵌合され、前記連結柱が前記フランジの内周に嵌合されることを特徴とする請求項２に記載のロックアセンブリ。
【請求項４】
前記ロック位置制限部材は、外端が前記第２部材に連結され、内端が前記ロック溝に向け、外端から内端にかけて徐々に立ち上がる弾性片であり、前記ロック解除位置部は、前記円台部の底面に設けられて、内側から外側にかけて徐々に薄くなる傾斜部であることを特徴とする請求項３に記載のロックアセンブリ。
【請求項５】
前記連結柱の頂端に円盤部が設けられ、前記円盤部と前記フランジの頂面との間には、前記ロック台の前記ロック溝における相対位置を安定させるために、互いに係合する位置決め構造が設けられていることを特徴とする請求項３に記載のロックアセンブリ。
【請求項６】
前記第１部材には、係止孔が設けられるストラップ部材と、前記係止孔に係合するフック部材とを備えるバンドが設けられており、前記ストラップ部材の一端には、前記フック部材が形成された固定板が取り付けられる溝室が設けられ、前記フック部材が前記ストラップ部材から離反する方向の溝室の側壁から突出することを特徴とする請求項５に記載のロックアセンブリ。
【請求項７】
前記固定板の上方に前記ロック台の円盤部が載置され、前記溝室の外底面に底板が設けられ、前記円盤部、固定板及び前記底板が、溝室の底部に挿設された連結部材によって固定されていることを特徴とする請求項６に記載のロックアセンブリ。
【請求項８】
前記第２部材に糸通し孔が設けられていることを特徴とする請求項１に記載のロックアセンブリ。
【考案の詳細な説明】
【技術分野】
【０００１】
本考案はロックアセンブリに関するものである。
【背景技術】
【０００２】
ロックアセンブリは、使用範囲が非常に広く、一般的にケースやバッグなどの物品によく使用されている。通常、ロックアセンブリは２つの部材を備え、部材間に開閉可能なロック構造が設けられ、両者の開閉により対応する２つの部材の分離、接合を実現する。しかしながら、従来のロックアセンブリのロック構造は、合理的ではなく、簡単な接着式、挿抜式係止部材などがよく見られ、その開閉操作は容易であるが、自動的に分離する可能性がとても大きいので、従来のロックアセンブリを改良する必要がある。
【考案の概要】
【考案が解決しようとする課題】
【０００３】
本考案が解決しようとする技術的課題は、改良されたロックアセンブリ、特に改良されたロック構造部分を提供することである。
【課題を解決するための手段】
【０００４】
本考案は、技術的課題を解決するために以下の技術的手段を採用する。
【０００５】
第１部材と、第２部材とを備え、前記第１部材と第２部材との間には互いに係合するロック構造が設けられているロックアセンブリであって、前記ロック構造は、前記第１部材と、第２部材とにそれぞれ設けられているロック台と、ロック溝とを備え、前記ロック溝には前記ロック台が進出するための開口が設けられており、前記ロック溝の開口には、前記ロック溝に位置する前記ロック台を適宜制限するためのロック位置制限部材が設けられており、前記ロック台には前記ロック位置制限部材に対応するロック解除位置部が設けられており、前記ロック台が前記ロック溝において前記ロック解除位置部と前記ロック位置制限部材とが対応するまで相対的に移動すると、制限が解除される。
【０００６】
上述のロックアセンブリにおいて、前記ロック溝はＵ字状となっており、前記ロック台が（ロック溝において）前記ロック溝に対して回転することで、前記ロック位置制限部材とロック解除位置部との係合が制御される。
【０００７】
上述のロックアセンブリにおいて、前記ロック溝は、前記第２部材の上面に突設されて、前記ロック溝の上面に沿ってＵ字状となっている側壁を備え、内方に延出するフランジが前記側壁の頂縁に沿って設けられ、前記ロック台は、径方向寸法の大きな円台部が先端に設けられる連結柱を備え、前記円台部が前記フランジ、側壁及び第２部材の上面の間の溝に嵌合され、前記連結柱が前記フランジの内周に嵌合される。
【０００８】
上述のロックアセンブリにおいて、前記ロック位置制限部材は、外端が前記第２部材に連結され、内端が前記ロック溝に向け、外端から内端にかけて徐々に立ち上がる弾性片であり、前記ロック解除位置部は、前記円台部の底面に設けられて、内側から外側にかけて徐々に薄くなる傾斜部である。
【０００９】
上述のロックアセンブリにおいて、前記連結柱の頂端に円盤部が設けられ、前記円盤部と前記フランジの頂面との間には、前記ロック台の前記ロック溝における相対位置を安定させるために、互いに係合する位置決め構造が設けられている。
【００１０】
上述のロックアセンブリにおいて、前記第１部材には、係止孔が設けられるストラップ部材と、前記係止孔に係合するフック部材とを備えるバンドが設けられており、前記ストラップ部材の一端には、前記フック部材が形成された固定板が取り付けられる溝室が設けられ、前記フック部材が前記ストラップ部材から離反する方向の溝室の側壁から突出する。
【００１１】
上述のロックアセンブリにおいて、前記固定板の上方に前記ロック台の円盤部が載置され、前記溝室の外底面に底板が設けられ、前記円盤部、固定板及び前記底板が、溝室の底部に挿設された連結部材によって固定されている。
【００１２】
上述のロックアセンブリにおいて、前記第２部材に糸通し孔が設けられている。
【考案の効果】
【００１３】
改良されたロックアセンブリは、ロック構造を最適化することによってその係合効果がより安定する。
【図面の簡単な説明】
【００１４】
【図１】は本考案の第１視野角からの分解斜視図である。
【図２】は本考案の第２視野角からの分解斜視図である。
【図３】は本考案の第３視野角からの分解斜視図である。
【図４】は本考案のロック台の一実施例の概略図である。
【図５】は本考案のロック台とロック溝との組み合わせ操作を示す図である。
【図６】は本考案のロック台がロック溝において制限された状態を示す図である。
【図７】は本考案のロック台の制限が解除された状態を示す図である。
【考案を実施するための形態】
【００１５】
以下、図面を参照しながら例示的で非制限的な方式で本考案の一部の具体的な実施例を詳細に説明する。図面における同じ符号は同様または類似した部材または部分を示す。当業者は、これらの図面が必ずしも寸法通りに描かれているわけではないことを理解するであろう。
【００１６】
本考案の実施例の目的、技術的手段及びメリットをより明確にするために、以下本考案の実施例の図面を参照しながら、本考案の実施例の技術的手段について明確かつ十分な説明を行う。説明した実施例はすべての実施例ではなく、本考案の一部の実施例であることは言うまでもない。
【００１７】
説明される本考案の実施例に基づき、当業者が創作的な労働を行うことなく得られるすべてのその他実施例は、いずれも本考案の保護範囲に属するものである。別の定義がない限り、本考案で用いた技術用語又は科学用語は、本考案が属する分野において通常の知識を有する者が理解し得る通常の意味である。
【００１８】
本考案で用いる「第１」、「第２」及び類似用語は順番、数量又は重要性を示すものではなく、異なる構成部分を区別するためのものである。同様に、「一つ」、「一」又は「該」などの類似用語は、数量の制限を示すものではなく、少なくとも一つ存在することを示すものである。「備える」又は「含む」などの類似用語は、当該用語が現れた前の要素又はモノが、当該用語が現れた後に挙げられた要素又はモノ及び同等物を包含することを指し、その他要素又はモノを排除する意味ではない。「連結」又は「接続」などの類似用語は、物理的又は機械的な連結に限定するのではなく、直接か間接かを関係なしに、電気的接続を含んでもよい。「上」、「下」、「左」、「右」などは、相対的位置関係を示すためのものであり、説明対象の絶対位置が変更されると、その相対的位置関係も対応的に変更することになる。
【００１９】
図１〜７に示されるように、ロックアセンブリは、第１部材１と、第２部材２とを備え、前記第１部材１と第２部材２との間には互いに係合するロック構造が設けられており、前記ロック構造は、前記第１部材１と、第２部材２とにそれぞれ設けられているロック台１０と、ロック溝２０とを備え、前記ロック溝２０には前記ロック台１０が進出するための開口２２が設けられており、前記ロック溝２０の開口２２には、前記ロック溝２０に位置する前記ロック台１０を適宜制限するためのロック位置制限部材が設けられており、前記ロック台１０には前記ロック位置制限部材に対応するロック解除位置部が設けられており、前記ロック台１０が前記ロック溝２０において前記ロック解除位置部と前記ロック位置制限部材とが対応するまで相対的に移動すると、制限が解除される。
【００２０】
自転車で走行する時に使用される携帯電話バッグを例にして説明すると、携帯電話バッグには上述のロックアセンブリが使用されており、第１部材１が自転車のハンドルバーと連結され、具体的に連結部としてバンド１１を用いることができ、第２部材２が携帯電話を収容するバッグ本体と組み付けられ、具体的に糸通し孔２３を設けて縫合することにより第２部材２とバッグ本体とを連結固定することができる。走行中に、第１部材１と第２部材２とはその間のロック機構によってロックされ、携帯電話バッグが自転車のハンドルバーに固定されて、ユーザの両手が解放される。
【００２１】
具体的には、２つの部材の間のロック構造は、ロック台１０とロック溝２０とにより係合され、ロック台１０が開口２２からロック溝２０に進入してロック位置制限部材によって制限されて、自由に脱出することができず、これによりロック構造の安定性が確保される。ロック台１０がロック溝２０においてロック解除位置部とロック位置制限部材とが対応するまで移動すると、ロック位置制限部材によるロック台１０への制限作用が解除され、ロック台１０がロック溝２０から脱出することができ、これによって両部材が解放され、ユーザが携帯電話バッグを取り外して携帯使用することができる。
【００２２】
上述の説明から分かるように、ロック台１０がロック溝２０に位置し、ロック解除位置部とロック位置制限部材とがずれた場合にロック台１０が制限され、ロック解除位置部とロック位置制限部材とが対応する位置まで調整されるだけで制限が解除されるので、走行中に、ロックアセンブリの係合効果の安定性を効果的に確保し、揺れなどの不意による携帯電話バッグの落下を効果的に防止することができる。
【００２３】
上述の実施例において携帯電話を収容するのがバッグではなく携帯電話クリップである場合、携帯電話クリップにより携帯電話を固定すると、携帯電話の画面が露出されているので、走行時にユーザがいつでも携帯電話のナビ画面を見ることができる。この場合に、第１部材１はバンド１１を用いてハンドルバーと組付けることもでき、第２部材２は接着、又は製造時の一体成形などによって携帯電話クリップと固定して組付けることができ、走行中に第２部材２を操作して、ロック台１０とロック溝２０との相対位置を変化させることによって携帯電話クリップの角度調整を実現し、適切な視認角度を調整することができる。当然ながら、調整時にロック解除位置部と、ロック位置制限部材とが対応する位置まで調整しないように注意する必要があるので、メーカーは誤解除を防止するために、製品に対応する位置マークを作成してユーザに注意することができる。
【００２４】
いくつかの実施例において、ロック溝２０はＵ字状となっており、前記ロック台１０が前記ロック溝２０に対して回転することで、前記ロック位置制限部材とロック解除位置部との係合が制御される。具体的には、ロック溝２０は、前記第２部材２の上面に設けられて、ロック溝２０の上面と略垂直であり、ロック溝２０の上面に沿ってＵ字状となっている側壁２００を備え、内方に延出するフランジ２０１が前記側壁２００の頂縁に沿って設けられ、ロック台１０は、径方向寸法の大きな（連結柱自体よりも大きな）円台部１００が先端に設けられる連結柱１０２を備え、前記円台部１００が前記フランジ２０１、側壁２００及び第２部材２の上面の間の溝に嵌合され、前記連結柱１０２が前記フランジ２０１の内周に嵌合される。
【００２５】
一実施例において、ロック位置制限部材は、外端が前記第２部材２に連結され、内端が前記ロック溝２０に向け、外端から内端にかけて徐々に立ち上がることで弾性が発生する弾性片２１であり、前記ロック解除位置部は、前記円台部１００の底面に設けられて、内側から外側にかけて徐々に薄くなる傾斜部１０１である。
【００２６】
図５〜７を参照し、ロック台１０をロック溝２０に押し込む際に、傾斜部１０１を開口２２、弾性片２１の位置に合わせることができ、傾斜部１０１は外端の厚さが薄く、弾性片２１に接触する際の抵抗が小さく、徐々に押し込むにつれて、弾性片２１は厚さが徐々に増加する傾斜部１０１により押し下げられ、これによりロック台１０がロック溝２０にスムーズに進入する。当然ながら、押し込む際に円台部１００が弾性片２１を押し下げることができるので、ロック台１０の他の部分を開口２２に位置合わせして押し込むこともできるが、傾斜部１０１を位置合わせすることにより操作すると、スムーズに押し込むことができる。
【００２７】
図６において、ロック台１０がロック溝２０内に完全に位置する場合に、弾性片２１が反発して上方へ復帰してストッパを形成することにより、ロック台１０を内部に制限し、ユーザが所定角度で回転操作して部材の角度調整を実現することができる。ロック解除時には、図７に示されるように、ロック台１０とロック溝２０とを、傾斜部１０１と弾性片２１とが対応するまで相対的に移動する必要があり、ロック台１０がロック溝２０から脱出する際に傾斜部１０１によって弾性片２１を徐々に押し下げることで、両部材がスムーズに分離することができる。
【００２８】
好ましくは、連結柱の頂端に円盤部１０３が設けられ、前記円盤部１０３と前記フランジ２０１の頂面との間には、前記ロック台１０の前記ロック溝２０における相対位置を安定させるために、互いに係合する位置決め構造が設けられている。ロック台１０とロック溝２０とがロック状態にある場合に、円盤部１０３とフランジ２０１の頂面とが密接し、位置決め構造が凸部２０１０と凹溝の採用によって実現可能であり、複数の凸部２０１０と凹溝とが円盤部１０３とフランジ２０１とにそれぞれ設けられ、凸部２０１０が対応する凹溝に嵌合されることで、ロック台１０とロック溝２０との係合角度が相対的に制限され、調整する必要がある場合に僅かな力を加えて回転させるので、両部材間の不意な回転を防止することができる。
【００２９】
バンド１１は、便利な連結部材であり、本実施例において、係止孔１１１が設けられるストラップ部材１１０と、前記係止孔１１１に係合するフック部材１１３とを備え、前記ストラップ部材１１０の一端には、前記フック部材１１３が形成された固定板１１４が取り付けられる溝室１１２が設けられ、前記フック部材１１３は、前記ストラップ部材１１０から離反する方向の溝室１１２の側壁２００から突出する。
【００３０】
バンド１１の材質は柔らかいゴムであるが、固定板１１４とフック部材１１３とは一体成形することができ、硬質のプラスチックを用い、固定板１１４の上方にロック台１０の円盤部１０３が載置され、溝室１１２の外底面に底板１１５が設けられ、前記円盤部１０３、固定板１１４及び前記底板１１５が、溝室１１２の底部に挿設された連結部材によって固定されており、具体的にねじによって底板１１５、固定板１１４及び円盤部１０３を連結固定することができる。全体の配置はコンパクトでシンプルである。
【００３１】
以上の記載は本考案の好ましい実施形態であって、本考案を限定するためのものではない。当業者にとって、本考案には様々な変更、組み合わせ及び変形があってもよい。本考案の精神や原則内でなされたすべての修正、同等な置換、改良などは、いずれも本考案の請求の範囲に含まれるものである。
【符号の説明】
【００３２】
１…第１部材
１０…ロック台
１００…円台部
１０１…傾斜部
１０２…連結柱
１０３…円盤部
１１…バンド
１１０…ストラップ部材
１１１…係止孔
１１２…溝室
１１３…フック部材
１１４…固定板
１１５…底板
２…第２部材
２０…ロック溝
２００…側壁
２０１…フランジ
２０１０…凸部
２１…弾性片
２２…開口
２３…糸通し孔
【図１】
0003224954.tif 000003
【図２】
0003224954.tif 000004
【図３】
0003224954.tif 000005
【図４】
0003224954.tif 000006
【図５】
0003224954.tif 000007
【図６】
0003224954.tif 000008
【図７】
0003224954.tif 000009